【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
メモリと通信するように構成されたプロセッサを備える再生デバイスであって、
前記メモリは、クライアントアプリケーションを含み、
前記クライアントアプリケーションは、
インデックスファイルを取得することであって、前記インデックスファイルは、複数の代替ビデオストリームを記述し、前記複数の代替ビデオストリームは、前記複数の代替ビデオストリームのうちの少なくとも２つを含む第１のストリーム組を含み、前記複数の代替ビデオストリームのうちの少なくとも２つは、同一のアスペクト比を有し、前記第１のストリーム組における前記複数の代替ビデオストリームのうちの少なくとも２つのそれぞれは、前記第１のストリーム組における前記複数の代替ビデオストリームのうちの少なくとも２つの中の他方の代替ビデオストリームと異なるビットレートを有し、かつ、前記複数の代替ビデオストリームのうちの少なくとも２つの中の他方の代替ビデオストリームと異なる解像度を有し、各異なる解像度は、それぞれに整数の画素である高さおよび幅を有する、ことと、
前記インデックスファイルにおける前記代替ビデオストリームの記述に基づいて、前記第１のストリーム組における前記複数の代替ビデオストリームのうちの少なくとも２つのうちの第１の代替ビデオストリームである第１のストリームを前記複数の代替ストリームから選択することと、
前記第１のストリーム組における前記複数の代替ビデオストリームのうちの少なくとも２つのうちの第１の代替ビデオストリームの解像度およびサンプルアスペクト比を有するビデオをデコードするように、ビデオデコーダを構成することであって、前記ビデオをデコードすることは、前記デコードされたビデオをディスプレイデバイスの解像度にスケーリングすることを含む、ことと、
コンテンツプロバイダシステムから、前記第１のストリーム組における前記複数の代替ビデオストリームのうちの少なくとも２つのうちの第１の代替ビデオストリームの一部を要求することと、
前記第１のストリーム組における前記複数の代替ビデオストリームのうちの少なくとも２つのうちの第１の代替ビデオストリームから受信されたビデオのストリーミング状態を監視することと、
前記ストリーミング状態の変化、前記第１のストリーム組からの前記複数の代替ビデオストリームのうちの少なくとも２つのうちの第１の代替ビデオストリームのアスペクト比、および、前記インデックスファイルにおける前記複数の代替ストリームの記述に基づいて、前記第１のストリーム組における前記複数の代替ビデオストリームのうちの少なくとも２つのうちの第２の代替ビデオストリームを選択することであって、前記第２の代替ビデオストリームは、前記第１のストリーム組における前記複数の代替ビデオストリームのうちの少なくとも２つのうちの第１の代替ビデオストリームと異なるビットレートを有し、かつ、前記第１のストリーム組における前記複数の代替ビデオストリームのうちの少なくとも２つのうちの第１の代替ビデオストリームと同一のアスペクト比を有する、ことと、
前記第１のストリーム組における前記複数の代替ビデオストリームのうちの少なくとも２つのうちの第２の代替ビデオストリームから前記ビデオの一部を要求することと
を行うように前記プロセッサを構成する、再生デバイス。
【請求項２】
コンテンツを再生する方法であって、前記方法は、
再生デバイスを使用して、インデックスファイルを取得することであって、前記インデックスファイルは、複数の代替ビデオストリームを記述し、前記複数の代替ビデオストリームは、前記複数の代替ビデオストリームのうちの少なくとも２つを含む第１のストリーム組を含み、前記複数の代替ビデオストリームのうちの少なくとも２つは、同一のアスペクト比を有し、前記第１のストリーム組における前記複数の代替ビデオストリームのうちの少なくとも２つのそれぞれは、前記第１のストリーム組における前記複数の代替ビデオストリームのうちの少なくとも２つの中の他方の代替ビデオストリームと異なるビットレートを有し、かつ、前記複数の代替ビデオストリームのうちの少なくとも２つの中の他方の代替ビデオストリームと異なる解像度を有し、各異なる解像度は、それぞれに整数の画素である高さおよび幅を有する、ことと、
前記再生デバイスを使用して、前記インデックスファイルにおける前記複数の代替ビデオストリームの記述に基づいて、前記第１のストリーム組における前記複数の代替ビデオストリームのうちの少なくとも２つのうちの第１の代替ビデオストリームを選択することと、
前記第１のストリーム組からの前記複数の代替ビデオストリームのうちの少なくとも２つのうちの第１の代替ビデオストリームの解像度およびサンプルアスペクト比を有するビデオをデコードするように、前記再生デバイス上のビデオデコーダを構成することであって、前記ビデオをデコードすることは、前記デコードされたビデオをディスプレイデバイスの解像度にスケーリングすることを含む、ことと、
前記再生デバイスを使用して、前記第１の組の前記複数の代替ビデオストリームのうちの少なくとも２つのうちの第１の代替ビデオストリームからビデオの一部を要求することと、
前記再生デバイスを使用して、前記第１のストリーム組における前記複数の代替ビデオストリームのうちの少なくとも２つのうちの第１の代替ビデオストリームから受信された前記ビデオに対するストリーミング状態を監視することと、
前記ストリーミング状態の変化、前記第１のストリーム組からの前記複数の代替ビデオストリームのうちの少なくとも２つのうちの第１の代替ビデオストリームのアスペクト比、および、前記インデックスファイルにおける前記複数の代替ビデオストリームの記述に基づいて、前記第１のストリーム組における前記複数の代替ビデオストリームのうちの少なくとも２つのうちの第２の代替ビデオストリームを選択することであって、前記第２の代替ビデオストリームは、前記第１のストリーム組における前記複数の代替ビデオストリームのうちの少なくとも２つのうちの第１の代替ビデオストリームと異なるビットレートを有し、かつ、前記第１のストリーム組における前記複数の代替ビデオストリームのうちの少なくとも２つのうちの第１の代替ビデオストリームと同一のアスペクト比を有する、ことと、
前記第１のストリーム組における前記複数の代替ビデオストリームのうちの少なくとも２つのうちの第２の代替ビデオストリームから前記ビデオの一部を要求することと
を含む、方法。
【請求項３】
プロセッサ命令を含む非一時的機械読み取り可能なメディアであって、
プロセッサによる前記命令の実行は、前記プロセッサに、
コンテンツプロバイダシステムからインデックスファイルを取得することであって、前記インデックスファイルは、複数の代替ビデオストリームを記述し、前記複数の代替ビデオストリームは、前記複数の代替ビデオストリームのうちの少なくとも２つを含む第１のストリーム組を含み、前記第１のストリーム組における前記複数の代替ビデオストリームのうちの少なくとも２つは、同一のアスペクト比を有し、前記第１のストリーム組における前記複数の代替ビデオストリームのうちの少なくとも２つのそれぞれは、前記第１のストリーム組における前記複数の代替ビデオストリームのうちの少なくとも２つの他方と異なるビットレートを有し、かつ、前記第１のストリーム組における前記複数の代替ビデオストリームのうちの他方の少なくとも２つと異なる解像度を有し、前記第１のストリーム組における前記複数の代替ビデオストリームのうちの少なくとも２つのそれぞれの異なる解像度は、それぞれに整数の画素である高さおよび幅を有する、ことと、
前記インデックスファイルにおける前記複数の代替ビデオストリームの記述に基づいて、前記第１のストリーム組における前記複数の代替ビデオストリームのうちの少なくとも２つのうちの第１の代替ビデオストリームである第１のストリームを前記複数の代替ビデオストリームから選択することと、
前記第１のストリーム組からの前記複数の代替ビデオストリームのうちの少なくとも２つのうちの第１の代替ビデオストリームの解像度およびサンプルアスペクト比を有するビデオをデコードするように、ビデオデコーダを構成することであって、前記ビデオをデコードすることは、前記デコードされたビデオをディスプレイデバイスの解像度にスケーリングすることを含む、ことと、
前記コンテンツプロバイダシステムから、前記第１のストリーム組からの前記複数のビデオストリームのうちの少なくとも２つのうちの第１のビデオストリームから前記ビデオの一部を要求することと、
前記第１のストリーム組における前記複数の代替ビデオストリームのうちの少なくとも２つのうちの第１の代替ビデオストリームから受信された前記ビデオに対するストリーミング状態を監視することと、
前記ストリーミング状態の変化、前記第１のストリーム組からの前記複数の代替ビデオストリームのうちの少なくとも２つのうちの第１の代替ビデオストリームのアスペクト比、および、前記インデックスファイルにおける前記複数の代替ビデオストリームの記述に基づいて、前記第１のストリーム組における前記複数の代替ビデオストリームのうちの少なくとも２つのうちの第２の代替ビデオストリームを選択することであって、前記第２の代替ビデオストリームは、前記第１のストリーム組における前記複数の代替ビデオストリームのうちの少なくとも２つのうちの第１の代替ビデオストリームと異なるビットレートを有し、かつ、前記第１のストリーム組における前記複数の代替ビデオストリームのうちの少なくとも２つのうちの第１の代替ビデオストリームと同一のアスペクト比を有する、ことと、
前記ストリーミング状態の変化に応答して、前記第１のストリーム組における前記複数の代替ビデオストリームのうちの少なくとも２つのうちの第２の代替ビデオストリームから前記ビデオの一部を要求することであって、前記第２の代替ビデオストリームは、前記第１のストリーム組の前記複数の代替ビデオストリームのうちの少なくとも２つのうちの第１の代替ビデオストリームと異なるビットレートを有し、前記第１のストリーム組からの前記複数の代替ビデオストリームのうちの少なくとも２つのうちの第２の代替ビデオストリームは、前記第１のストリーム組からの前記複数の代替ビデオストリームのうちの少なくとも２つのうちの第１の代替ビデオストリームと同一のアスペクト比を有する、ことと
を含む工程を行なわせる、非一時的機械読み取り可能なメディア。
【請求項４】
前記第１のストリーム組におけるストリームのアスペクト比は、１６：９である、請求項３に記載の非一時的機械読み取り可能なメディア。
【請求項５】
前記第１のストリーム組におけるストリームのアスペクト比は、１．８５：１である、請求項３に記載の非一時的機械読み取り可能なメディア。
【請求項６】
前記第１のストリーム組におけるストリームのアスペクト比は、２．３５：１である、請求項３に記載の非一時的機械読み取り可能なメディア。
【請求項７】
前記第１のストリーム組におけるストリームのアスペクト比は、２．４０：１である、請求項３に記載の非一時的機械読み取り可能なメディア。
【請求項８】
前記複数の代替ビデオストリームは、前記複数の代替ビデオストリームのうちの少なくとも２つを含む第２のストリーム組を含み、前記第２のストリーム組における前記複数の代替ビデオストリームのうちの少なくとも２つは、同一のアスペクト比を有し、前記第２のストリーム組における前記複数の代替ビデオストリームのうちの少なくとも２つのそれぞれは、前記第２のストリーム組における前記複数の代替ビデオストリームのうちの他方の少なくとも２つと異なるビットレートを有し、かつ、前記第２のストリーム組における前記複数の代替ビデオストリームのうちの他方の少なくとも２つと異なる解像度を有し、前記第２のストリーム組における前記複数の代替ビデオストリームのうちの少なくとも２つのそれぞれの異なる解像度は、それぞれに整数の画素である高さおよび幅を有し、さらに、前記第２のストリーム組における前記複数の代替ビデオストリームのうちの少なくとも２つのアスペクト比は、前記第１のストリーム組における前記複数の代替ビデオストリームのうちの少なくとも２つのアスペクト比と異なる、請求項３に記載の非一時的機械読み取り可能なメディア。
【請求項９】
前記第１のストリーム組における各ストリームは、第１のサンプルアスペクト比を有し、前記第２のストリーム組における各ストリームは、第２のサンプルアスペクト比を有し、前記第１のサンプルアスペクト比と前記第２のサンプルアスペクト比とは、異なる、請求項８に記載の非一時的機械読み取り可能なメディア。
【請求項１０】
前記第１のストリーム組における各ストリームは、同一のサンプルアスペクト比を有する、請求項３に記載の非一時的機械読み取り可能なメディア。
【請求項１１】
前記第１のストリーム組におけるストリームのアスペクト比は、１６：９である、請求項１に記載の再生デバイス。
【請求項１２】
前記第１のストリーム組におけるストリームのアスペクト比は、１．８５：１である、請求項１に記載の再生デバイス。
【請求項１３】
前記第１のストリーム組におけるストリームのアスペクト比は、２．３５：１である、請求項１に記載の再生デバイス。
【請求項１４】
前記第１のストリーム組におけるストリームのアスペクト比は、２．４０：１である、請求項１に記載の再生デバイス。
【請求項１５】
前記複数の代替ストリームは、前記複数の代替ビデオストリームのうちの少なくとも２つを含む第２のストリーム組を含み、前記第２のストリーム組における前記複数の代替ビデオストリームのうちの少なくとも２つは、同一のアスペクト比を有し、前記第２のストリーム組における前記複数の代替ビデオストリームのうちの少なくとも２つのそれぞれは、前記第２のストリーム組における前記複数の代替ビデオストリームのうちの他方の少なくとも２つと異なるビットレートを有し、かつ、前記第２のストリーム組における前記複数の代替ビデオストリームのうちの他方の少なくとも２つと異なる解像度を有し、前記第２のストリーム組における前記複数の代替ビデオストリームのうちの少なくとも２つのそれぞれの異なる解像度は、それぞれに整数の画素である高さおよび幅を有し、さらに、前記第２のストリーム組の前記複数の代替ビデオストリームのうちの少なくとも２つのアスペクト比は、前記第１のストリーム組の前記複数の代替ビデオストリームのうちの少なくとも２つのアスペクト比と異なる、請求項１に記載の再生デバイス。
【請求項１６】
前記第１のストリーム組における前記複数の代替ビデオストリームのうちの少なくとも２つのそれぞれは、第１のサンプルアスペクト比を有し、前記第２のストリーム組における前記複数の代替ビデオストリームのうちの少なくとも２つのそれぞれは、第２のサンプルアスペクト比を有し、前記第１のサンプルアスペクト比と前記第２のサンプルアスペクト比とは、異なる、請求項１５に記載の再生デバイス。
【請求項１７】
前記第１のストリーム組における各ストリームは、同一のサンプルアスペクト比を有する、請求項１に記載の再生デバイス。
【請求項１８】
前記第１のストリーム組におけるストリームのアスペクト比は、１６：９である、請求項２に記載の方法。
【請求項１９】
前記第１のストリーム組におけるストリームのアスペクト比は、１．８５：１である、請求項２に記載の方法。
【請求項２０】
前記第１のストリーム組におけるストリームのアスペクト比は、２．３５：１である、請求項２に記載の方法。
【請求項２１】
前記第１のストリーム組におけるストリームのアスペクト比は、２．４０：１である、請求項２に記載の方法。
【請求項２２】
前記複数の代替ストリームは、前記複数の代替ビデオストリームのうちの少なくとも２つを含む第２のストリーム組を含み、前記第２のストリーム組における前記複数の代替ビデオストリームのうちの少なくとも２つは、同一のアスペクト比を有し、前記第２のストリーム組における前記複数の代替ビデオストリームのうちの少なくとも２つのそれぞれは、前記第２のストリーム組における前記複数の代替ビデオストリームのうちの少なくとも２つのうちの他方と異なるビットレートを有し、かつ、前記第２のストリーム組における前記複数の代替ビデオストリームのうちの他方の少なくとも２つと異なる解像度を有し、前記第２のストリーム組における前記複数の代替ビデオストリームのうちの少なくとも２つのそれぞれの異なる解像度は、それぞれに整数の画素である高さおよび幅を有し、さらに、前記第２のストリーム組における前記複数の代替ビデオストリームのうちの少なくとも２つのアスペクト比は、前記第１のストリーム組における前記複数の代替ビデオストリームのうちの少なくとも２つのアスペクト比と異なる、請求項２に記載の方法。
【請求項２３】
前記第１のストリーム組における前記複数の代替ビデオストリームのうちの少なくとも２つのそれぞれは、第１のサンプルアスペクト比を有し、前記第２のストリーム組における前記複数の代替ビデオストリームのうちの少なくとも２つのそれぞれは、第２のサンプルアスペクト比を有し、前記第１のサンプルアスペクト比と前記第２のサンプルアスペクト比とは、異なる、請求項２２に記載の方法。
【請求項２４】
前記第１のストリーム組における前記複数の代替ビデオストリームのうちの少なくとも２つのそれぞれのストリームは、同一のサンプルアスペクト比を有する、請求項２に記載の方法。
【手続補正２】
【補正対象書類名】明細書
【補正対象項目名】００３１
【補正方法】変更
【補正の内容】
【００３１】
本発明のなおも別の実施形態は、プロセッサ命令を含む機械読み取り可能なメディアを含み、プロセッサによる命令の実行は、プロセッサに、インデックスファイルを取得することであって、インデックスファイルは、同一のアスペクト比と、異なるビットレート、解像度とを有する複数の代替ビデオストリームを記述し、複数の代替ビデオストリームのうちの少なくとも２つは、異なるサンプルアスペクト比を有する、ことと、複数の代替ビデオストリームのうちの第１のストリームの解像度およびサンプルアスペクト比を有するビデオをデコードするように、ビデオデコーダを構成することであって、ビデオをデコードすることは、デコードされたビデオをディスプレイデバイスの解像度にスケーリングすることを含む、ことと、第１のストリームの一部を要求することとを含む工程を行なわせる。
本願明細書は、例えば、以下の項目も提供する。
（項目１）
プロセッサを備えるソースエンコーダであって、
前記プロセッサは、ソースエンコーダアプリケーションによって、
マルチメディアコンテンツを受信することであって、前記マルチメディアコンテンツは、主要解像度および主要サンプルアスペクト比を有するビデオデータを備える、ことと、
前記ビデオデータを代替ストリームの組としてエンコードすることと
を行うように構成され、
前記代替ストリームの組内の複数のストリームは、異なる最大ビットレートおよび解像度を有し、
前記複数のストリームのそれぞれの解像度は、幅および高さを備え、前記幅および高さは両方とも、整数の画素であり、
前記複数のストリームのそれぞれの前記幅および高さは両方とも、対応する前記主要解像度の幅および高さの常分数である、
ソースエンコーダ。
（項目２）
前記代替ストリームの組内の複数のストリームは、同一のアスペクト比と、異なる最大ビットレートおよび解像度とを有する、項目１に記載のソースエンコーダ。
（項目３）
前記代替ストリームの組内の複数のストリームは、同一のアスペクト比と、異なる最大ビットレート、サンプルアスペクト比、および解像度とを有する、項目１に記載のソースエンコーダ。
（項目４）
前記主要解像度は、１９２０×１０８０であり、前記主要アスペクト比は、１６：９であり、前記代替ストリームの組内の複数のストリームは、以下の解像度およびサンプルアスペクト比：
解像度＝１５３６×８６４；サンプルアスペクト比＝１：１
解像度＝１１５２×６４８；サンプルアスペクト比＝１：１
解像度＝９６０×５４４；サンプルアスペクト比＝１：１
解像度＝７６８×４３２；サンプルアスペクト比＝１：１
でエンコードされる、項目３に記載のソースエンコーダ。
（項目５）
前記主要解像度は、１９２０×１０４０であり、前記主要アスペクト比は、１．８５：１であり、前記代替ストリームの組内の複数のストリームは、以下の解像度およびサンプルアスペクト比：
解像度＝１５３６×８３２；サンプルアスペクト比＝１：１
解像度＝１１５２×６２４；サンプルアスペクト比＝１：１
解像度＝９６０×５２０；サンプルアスペクト比＝１：１
解像度＝７６８×４１６；サンプルアスペクト比＝１：１
でエンコードされる、項目３に記載のソースエンコーダ。
（項目６）
前記主要解像度は、１９２０×８１６であり、前記主要アスペクト比は、２．３５：１であり、前記代替ストリームの組内の複数のストリームは、以下の解像度およびサンプルアスペクト比：
解像度＝１５３６×６５６；サンプルアスペクト比＝１：１
解像度＝１１５２×４８８；サンプルアスペクト比＝１：１
解像度＝９６０×４０８；サンプルアスペクト比＝１：１
解像度＝７６８×３２８；サンプルアスペクト比＝１：１
でエンコードされる、項目３に記載のソースエンコーダ。
（項目７）
前記主要解像度は、１９２０×８００であり、前記主要アスペクト比は、２．４０：１であり、前記代替ストリームの組内の複数のストリームは、以下の解像度およびサンプルアスペクト比：
解像度＝１５３６×６４０；サンプルアスペクト比＝１：１
解像度＝１１５２×４８０；サンプルアスペクト比＝１：１
解像度＝９６０×４００；サンプルアスペクト比＝１：１
解像度＝７６８×３２０；サンプルアスペクト比＝１：１
でエンコードされる、項目３に記載のソースエンコーダ。
（項目８）
主要解像度および主要サンプルアスペクト比を有するビデオデータを備えるマルチメディアコンテンツを、複数の代替ストリームとしてエンコードする方法であって、前記方法は、
ソースエンコーダを使用して、主要解像度および主要サンプルアスペクト比を有するビデオデータを備えるマルチメディアコンテンツを受信することと、
ソースエンコーダを使用して、前記ビデオデータを代替ストリームの組としてエンコードすることであって、前記代替ストリームの組内の複数のストリームは、異なる最大ビットレートおよび解像度を有する、ことと
を含み、
前記複数のストリームのそれぞれの解像度は、幅および高さを備え、前記幅および高さは両方とも、整数の画素であり、前記複数のストリームのそれぞれの前記幅および高さは両方とも、対応する前記主要解像度の幅および高さの常分数である、方法。
（項目９）
前記分数の分子および分母はそれぞれ、１００未満である、項目８に記載の方法。
（項目１０）
メモリと通信するように構成されたプロセッサを備える再生デバイスであって、
前記メモリは、クライアントアプリケーションを含み、
前記クライアントアプリケーションは、
インデックスファイルを取得することであって、前記インデックスファイルは、同一のアスペクト比と、異なるビットレート、解像度とを有する複数の代替ビデオストリームを記述し、前記複数の代替ビデオストリームのうちの少なくとも２つは、異なるサンプルアスペクト比を有する、ことと、
前記複数の代替ビデオストリームのうちの第１のストリームの解像度およびサンプルアスペクト比を有するビデオをデコードするように、ビデオデコーダを構成することであって、前記ビデオをデコードすることは、前記デコードされたビデオをディスプレイデバイスの解像度にスケーリングすることを含む、ことと、
前記第１のストリームの一部を要求することと
を行うように前記プロセッサを構成する、再生デバイス。
（項目１１）
コンテンツを再生する方法であって、前記方法は、
再生デバイスを使用して、インデックスファイルを取得することであって、前記インデックスファイルは、同一のアスペクト比と、異なるビットレート、解像度とを有する複数の代替ビデオストリームを記述し、前記複数の代替ビデオストリームのうちの少なくとも２つは、異なるサンプルアスペクト比を有する、ことと、
前記複数の代替ビデオストリームのうちの第１のストリームの解像度およびサンプルアスペクト比を有するビデオをデコードするように、前記再生デバイス上のビデオデコーダを構成することであって、前記ビデオをデコードすることは、前記デコードされたビデオをディスプレイデバイスの解像度にスケーリングすることを含む、ことと、
前記再生デバイスを使用して、前記第１のストリームの一部を要求することと
を含む、方法。
（項目１２）
主要解像度および主要アスペクト比を有する主要ビデオストリームをより低い解像度のストリームの組としてエンコードするために、副解像度の組を決定する方法であって、前記方法は、
副解像度の組を選択することであって、前記副解像度の組内の各副解像度の高さおよび幅は、整数の画素であり、前記主要解像度の対応する幅および高さ未満である、ことと、
前記副解像度の組から副解像度を選択することであって、前記選択された副解像度の幅および高さは、前記主要アスペクト比と同一のアスペクト比を有する、ことと
を含む、方法。
（項目１３）
前記副解像度の組内の各副解像度に対する幅および高さは、８の倍数である、項目１２に記載の方法。
（項目１４）
前記副解像度の組は、正方形のサンプルアスペクト比を有する副解像度を備える、項目１２に記載の方法。
（項目１５）
前記副解像度の組は、
前記主要解像度の幅から列幅を反復的に減算し、結果として生じる幅に前記主要アスペクト比を乗算することにより、対応する高さを決定することと、
前記幅および対応する高さが整数の画素である副解像度を選択することと
によって選択される、項目１２に記載の方法。
（項目１６）
前記副解像度の組を選択することは、
前記主要解像度の高さから行高さを反復的に減算し、結果として生じる高さに前記主要アスペクト比を乗算することにより、対応する幅を決定することと、
前記高さおよび対応する幅が整数の画素である副解像度を選択することと
をさらに含む、項目１５に記載の方法。
（項目１７）
前記副解像度の組内の各副解像度に対する幅および高さは、８の倍数である、項目１６に記載の方法。
（項目１８）
前記副解像度の組は、正方形のサンプルアスペクト比を有する副解像度を備える、項目１６に記載の方法。
（項目１９）
前記副解像度の組は、正方形のサンプルアスペクト比を有する副解像度を備え、各副解像度に対する幅および高さは、８の倍数である、項目１６に記載の方法。
（項目２０）
１９２０×１０８０、１９２０×１０４０、１９２０×８１６、および１９２０×８００の前記主要解像度に対する副解像度が、計算される、項目１６に記載の方法。
（項目２１）
前記副解像度の組は、前記主要解像度の大部分に対して繰り返される共通幅を有する副解像度を備え、副解像度は、前記共通幅値を共有しない任意の主要解像度に対して選択される、項目２０に記載の方法。
（項目２２）
前記共通幅値を有していない前記主要解像度に対して選択される副解像度は、前記幅値を使用して、前記主要解像度のアスペクト比と同じアスペクト比を有する高さ値を選択することによって生成される、項目２１に記載の方法。
（項目２３）
前記選択された高さ値は、直近の８画素の倍数に丸められる、項目２２に記載の方法。
（項目２４）
前記選択された高さ値は、直近の８の倍数に切り下げられる、項目２２に記載の方法。
（項目２５）
前記副解像度の組は、
前記主要解像度の高さから行高さを反復的に減算し、結果として生じる高さに前記主要アスペクト比を乗算することにより、対応する幅を決定することと、
前記高さおよび対応する幅が整数の画素である副解像度を選択することと
によって選択される、項目１２に記載の方法。
（項目２６）
プロセッサ命令を含む機械読み取り可能なメディアであって、
プロセッサによる前記命令の実行は、前記プロセッサに、
主要解像度および主要サンプルアスペクト比を有するビデオデータを備えるマルチメディアコンテンツを受信することと、
前記ビデオデータを代替ストリームの組としてエンコードすることであって、前記代替ストリームの組内の複数のストリームは、異なる最大ビットレートおよび解像度を有する、ことと
を含む工程を行なわせ、前記複数のストリームのそれぞれの解像度は、幅および高さを備え、前記幅および高さは両方とも、整数の画素であり、前記複数のストリームのそれぞれの前記幅および高さは両方とも、対応する前記主要解像度の幅および高さの常分数である、プロセッサ命令を含む機械読み取り可能なメディア。
（項目２７）
前記分数の分子および分母はそれぞれ、１００未満である、項目２６に記載のプロセッサ命令を含む機械読み取り可能なメディア。
（項目２８）
プロセッサ命令を含む機械読み取り可能なメディアであって、
プロセッサによる前記命令の実行は、前記プロセッサに、
インデックスファイルを取得することであって、前記インデックスファイルは、同一のアスペクト比と、異なるビットレート、解像度とを有する複数の代替ビデオストリームを記述し、前記複数の代替ビデオストリームのうちの少なくとも２つは、異なるサンプルアスペクト比を有する、ことと、
前記複数の代替ビデオストリームのうちの第１のストリームの解像度およびサンプルアスペクト比を有するビデオをデコードするように、ビデオデコーダを構成することであって、前記ビデオをデコードすることは、前記デコードされたビデオをディスプレイデバイスの解像度にスケーリングすることを含む、ことと、
前記第１のストリームの一部を要求することと
を含む工程を行なわせる、プロセッサ命令を含む機械読み取り可能なメディア。